(57)【要約】  本発明は、ブルー顔料入りインクジェットインクならびにインクジェット・インクセットおよびインクジェット印刷でのその使用に関する。より具体的には、本発明は、色が青であり、混合顔料着色剤を含むインクに関する。【特許請求の範囲】
【請求項１】
顔料着色剤がピグメント・バイオレット２３と少なくとも１つのシアン顔料との混合物を含むことを特徴とする、顔料着色剤およびビヒクルを含む青色インクジェットインク。
【請求項２】
前記シアン顔料がピグメント・ブルー１５：３およびピグメント・ブルー１５：４からなる群から選択されることを特徴とする、請求項１に記載の青色インクジェットインク。
【請求項３】
存在する顔料着色剤の総量が前記インクの総重量を基準にして少なくとも約１重量％であることを特徴とする、請求項１に記載の青色インクジェットインク。
【請求項４】
前記ビヒクルが水性ビヒクルであることを特徴とする、請求項１に記載の青色インクジェットインク。
【請求項５】
前記ピグメント・バイオレット２３対シアン顔料の総量の重量比が約４：１〜約１：４であることを特徴とする、請求項１に記載の青色インクジェットインク。
【請求項６】
２５℃で約２０ダイン／ｃｍ〜約７０ダイン／ｃｍの範囲の表面張力、および２５℃で約３０ｃＰ以下の粘度を有する、請求項１に記載の青色インクジェットインク。
【請求項７】
前記シアン顔料がピグメント・ブルー１５：３およびピグメント・ブルー１５：４からなる群から選択され、存在する顔料着色剤の総量が前記インクの総重量を基準にして少なくとも約１重量％であり、そして前記ピグメント・バイオレット２３対シアン顔料の総量の重量比が約４：１〜約１：４であることを特徴とする、請求項６に記載の青色インクジェットインク。
【請求項８】
前記ビヒクルが水性ビヒクルであることを特徴とする、請求項７に記載の青色インクジェットインク。
【請求項９】
前記インクの少なくとも１つが請求項１〜８のいずれか一項もしくはすべてに記載の青色インクジェットインクであることを特徴とする、複数の異なる色に着色されたインクジェットインクを含むインクジェット・インクセット。
【請求項１０】
シアン顔料入りインク、マゼンタ顔料入りインクおよびイエロー顔料入りインクをさらに含む、請求項９に記載のインクジェット・インクセット。
【請求項１１】
グリーン顔料入りインクおよびレッド顔料入りインクをさらに含む、請求項１０に記載のインクジェット・インクセット。
【請求項１２】
黒色インクをさらに含む、請求項９〜１１のいずれか一項に記載のインクジェット・インクセット。
【請求項１３】
請求項１〜１２のいずれか一項もしくはすべてに記載のインクまたはインクセットを装着したインクジェットプリンター。
【請求項１４】
（ａ）デジタルデータ信号に応答するインクジェットプリンターを提供する工程と、
（ｂ）印刷されるべき基材を前記プリンターに装着する工程と、
（ｃ）請求項１〜１２のいずれか一項もしくはすべてに記載のインクジェットインクまたはインクジェット・インクセットを前記プリンターに装着する工程と、
（ｄ）前記デジタルデータ信号に応答して前記インクジェット・インクセットを用いて前記基材へ印刷する工程と
を含む、基材へのインクジェット印刷方法。
【発明の詳細な説明】
【技術分野】
【０００１】
本発明は、顔料ベースのインクジェットインクならびにインクジェット・インクセットおよびインクジェット印刷でのその使用に関する。より具体的には、本発明は、色が青であり、混合顔料着色剤を含むインクに関する。
【背景技術】
【０００２】
インクジェット印刷は、インクの小滴が紙などの基材上に沈着されて所望の画像を形成するノンインパクト印刷法である。小滴はマイクロプロセッサによって生み出された電気的信号に応答してプリントヘッドから噴出される。インクジェットプリンターは低コスト高品質印刷を提供し、他のタイプのプリンターの人気ある代替品になってきた。好適なインクには、染料、顔料および混合染料／顔料着色剤入りのインクが含まれる。
【０００３】
顔料含有インクの色特性は、印刷されたインクジェット画像の品質で重要な役割を果たす。知覚色品質は、当該技術でよく知られているように、ＣＩＥＬＡＢ（ＣＩＥ  Ｎｏ．１５．２、比色分析（Ｃｏｌｏｒｉｍｅｔｒｙ）、第２版、Ｃｏｍｍｉｓｓｉｏｎ  Ｉｎｔｅｒｎａｔｉｏｎａｌｅ  ｄｅ  ｌ’Ｅｃｌａｒａｇｅ、オーストリア国ウィーン（Ｖｉｅｎｎａ，Ａｕｓｔｒｉａ）、１９８６年）またはマンセル（Ｍｕｎｓｅｌｌ）（Ｍｕｎｓｅｌｌ  Ｂｏｏｋ  ｏｆ  Ｃｏｌｏｒ，Ｍｕｎｓｅｌｌ  Ｃｏｌｏｒ  Ｃｏ．、メリーランド州バルチモア（Ｂａｌｔｉｍｏｒｅ，ＭＤ）、１９２９年）などの幾つかの色−空間系の任意の１つを用いて特徴づけることができる。マンセル色空間に関して、所与の色は３つの用語、すなわち色相、明度および彩度を用いて定義される。ＣＩＥＬＡＢ色空間に関して、色は、３つの用語Ｌ*、ａ*およびｂ*を用いて定義される。この系でＬ*は色の明るさを規定し、それは０（黒）〜１００（白）の範囲である。用語ａ*およびｂ*は一緒になって色相を規定し、ここでａ*は負数（緑）〜正数（赤）の範囲であり、ｂ*は負数（青）〜正数（黄）の範囲である。色相角（ｈ°）および彩度（Ｃ*）などの追加の用語もまた、ａ*およびｂ*の代わりに所与の色を記載するために用いることができ、ここで、
【０００４】
【数１】
2008504400.tif 000002
【０００５】
【数２】
2008504400.tif 000003
【０００６】
フルカラー画像を達成するために、インクジェットプリンターは典型的にはシアン（「Ｃ」）、マゼンタ（「Ｍ」）および黄色（「Ｙ」）インクを用いる。これらの色は、光が着色剤を通過するにつれてそれが減じられるので、減法混色の原色として知られる。これらの色が対で混合される時それらは赤、緑および青（いわゆる「二次色」）を形成し、そしてすべてが一緒に混合される時それらは黒を形成する。このように、これらの３色インクは、良好な色度および／または色飽和で全体範囲の色相を印刷するために使用することができる。
【０００７】
所与のインクセットが印刷できる色の範囲は色域と呼ばれ、所与の基材にインクセットで印刷できる代表的な色のパレットを包含するＬ*ａ*ｂ*色空間での体積によってＣＩＥＬＡＢ系で記載することができる。ＣＭＹインクセットはすべての可能な色の色相を生み出すことができるが、色域は、人間の目で知覚することができる色すべてを包含しない。従って、印刷画像品質を向上させ、かつ、印刷できる色の範囲を拡大させるという要求は依然としてある。
【発明の開示】
【発明が解決しようとする課題】
【０００８】
現在のインクセットは望ましい画像を提供するが、改善された色特性のインクは今もなお有利である。改善された彩度、光学密度および光沢の顔料入り青色インクを提供することが本発明の目的である。
【課題を解決するための手段】
【０００９】
本発明の一態様に従って、顔料着色剤およびビヒクル、好ましくは水性ビヒクルを含む青色インクジェットインクであって、該顔料着色剤がピグメント・バイオレット（ｐｉｇｍｅｎｔ  ｖｉｏｌｅｔ）２３（ＰＶ２３）と少なくとも１つのシアン顔料との混合物を含むインクが提供される。
【００１０】
シアン顔料は好ましくは、ピグメント・ブルー（ｐｉｇｍｅｎｔ  ｂｌｕｅ）１５：３（ＰＢ１５：３）および１５：４（ＰＢ１５：４）から選択される。インク中に存在するＰＶ２３対シアン顔料の総量の重量比は好ましくは約４：１〜約１：４である。好ましくは、ＰＶ２３およびシアン顔料の総量は、インクの総重量を基準にして少なくとも１重量％である。同様に好ましくは、ビヒクルは水性ビヒクルである。
【００１１】
本発明のブルー顔料入りインクは、有利な色相および高い彩度、光学密度、および光沢をはじめとする望ましい色特性を提供することが分かった。
【００１２】
本発明の別の態様に従って、インクの少なくとも１つが上に記載されたような、および下にさらに詳細に説明されるようなブルー顔料入りインクである、複数の着色インクを含むインクジェット・インクセットが提供される。好ましくは、インクセットは、ブルー顔料入りインクジェットインクに加えてシアン、マゼンタおよびイエロー顔料入りインクならびに、より好ましくは、その上レッドおよびグリーン顔料入りインクを含む。同様に好ましくは、インクセットは黒色インクをさらに含む。
【００１３】
本発明のさらに別の態様に従って、上記のようなインクジェットインクまたはインクジェット・インクセットを装着した、デジタルデータ信号に応答するインクジェットプリンターが提供される。好ましくは、プリンターはページ幅のプリントヘッド・アレイをさらに装着される。
【００１４】
本発明のさらに別の態様では、
（ａ）デジタルデータ信号に応答するインクジェットプリンターを提供する工程と、
（ｂ）印刷されるべき基材をプリンターに装着する工程と、
（ｃ）上に記載されたおよび下にさらに詳細に説明されるようなインクジェットインクまたはインクジェット・インクセットをプリンターに装着する工程と、
（ｄ）デジタルデータ信号に応答してインクまたはインクジェット・インクセットを用いて基材へ印刷する工程と
を含む、基材へのインクジェット印刷方法が提供される。
【００１５】
好ましい基材には、普通紙、写真用紙およびテキスタイルが含まれる。
【００１６】
本発明のこれらのおよび他の特徴および利点は、次の詳細な説明を読むことで当業者によってより容易に理解されるであろう。明確にするために、個々の実施形態との関連で上におよび下に記載される本発明の幾つかの特徴はまた、単一の実施形態で組み合わせて提供されてもよいことが理解されるべきである。逆に、簡潔にするために、単一の実施形態との関連で記載される本発明の様々な特徴はまた、別々にまたは任意のサブコンビネーションで提供されてもよい。加えて、単数形での言及にはまた、文脈が特に明記しない限り複数形が含まれてもよい（例えば、単数形（「（ａ）」および「（ａｎ）」）は１つ、または１つ以上を意味してもよい）。さらに、範囲で述べられた値への言及には、当該範囲内の各値およびあらゆる値が含まれる。
【発明を実施するための最良の形態】
【００１７】
着色インク
着色インクはビヒクル、好ましくは水性ビヒクル、および着色剤を含む。着色剤はインクビヒクルに可溶である（染料）または分散する（顔料）ことができる。顔料入りインクは少なくとも１つの顔料を含む。顔料入りインクは染料をさらに含んでもよいが、着色剤は依然として主に顔料である。
【００１８】
着色剤は、染色業者および着色者協会、英国ヨークシャー、ブラッドフォード（Ｓｏｃｉｅｔｙ  Ｄｙｅｒｓ  ａｎｄ  Ｃｏｌｏｕｒｉｓｔｓ，Ｂｒａｄｆｏｒｄ，Ｙｏｒｋｓｈｉｒｅ，ＵＫ）によって確立され、カラー・インデックス、第３版（Ｔｈｅ  Ｃｏｌｏｒ  Ｉｎｄｅｘ，Ｔｈｉｒｄ  Ｅｄｉｔｉｏｎ）、１９７１年に公表されたそれらの「Ｃ．Ｉ．」呼称によって本明細書では言及される。当該呼称は、名称の一部として知覚色を用いるが、何が橙、赤、紫、青、緑などを構成するかについての公式なスペクトル定義は全くない。本発明の目的のためには、インク色は次のような色相角範囲によって命名されるであろう。
【００１９】
2008504400.tif 000004
【００２０】
インクジェット・インクセット用の着色剤を選ぶ際に、所与の色についての色相角は好ましくは下記の範囲内に入る。
【００２１】
2008504400.tif 000005
【００２２】
色相角は好ましくは、当業者によって一般に理解されるように、および下にさらに詳細に説明されるように、写真用紙などの高品質インクジェット媒体へインクを印刷し、そして分光計で色を測定することによって求められる。
【００２３】
本発明の青色インクは、少なくとも１つのシアン顔料（好ましくはＰＢ１５：３および／またはＰＢ１５：４）とＰＶ２３との混合物を含む。上の色定義によればＰＶ２３はブルー顔料であるが、それはマゼンタと境を接し、ブルー着色剤として望ましい位置にあるとはいえない。しかしながら、シアン顔料と組み合わせて、色は最適化されて非常に望ましい青色を提供する。典型的には、インク中の顔料着色剤の量は、インクの総重量を基準にして少なくとも約１重量パーセントであろう。ＰＶ２３対シアン顔料の重量比は典型的には約１：４〜約４：１であり、好ましくは約１：３〜約３：１である。
【００２４】
本明細書に後で記載されるように、本発明の青色インクは、複数の着色インクを含むインクセットのメンバーとして一般に用いられるであろう。本発明の青色インク以外の着色インクは顔料および／または染料ベースのインクであってもよい。インクセットのインクのそれぞれは、ビヒクルに分散されたおよび／または溶解された着色剤を個々に含む。
【００２５】
インクセットの他のインクのための有用な顔料には、
（シアン）ＰＢ１５：３およびＰＢ１５：４、
（マゼンタ）ピグメント・レッド（Ｐｉｇｍｅｎｔ  Ｒｅｄ）１２２および／またはピグメント・レッド２０２、
（黄）ピグメント・イエロー（Ｐｉｇｍｅｎｔ  Ｙｅｌｌｏｗ）１４、ピグメント・イエロー７４、ピグメント・イエロー９５、ピグメント・イエロー１１０、ピグメント・イエロー１１４、ピグメント・イエロー１２８およびピグメント・イエロー１５５、
（赤）ピグメント・オレンジ（Ｐｉｇｍｅｎｔ  Ｏｒａｎｇｅ）５、ピグメント・オレンジ３４、ピグメント・オレンジ４３、ピグメント・オレンジ６２、ピグメント・レッド１７、ピグメント・レッド４９：２、ピグメント・レッド１１２、ピグメント・レッド１４９、ピグメント・レッド１７７、ピグメント・レッド１７８、ピグメント・レッド１８８、ピグメント・レッド２５５およびピグメント・レッド２６４、
（緑）ピグメント・グリーン（Ｐｉｇｍｅｎｔ  Ｇｒｅｅｎ）１、ピグメント・グリーン２、ピグメント・グリーン７およびピグメント・グリーン３６、ならびに
（黒）カーボンブラック
が含まれる。
【００２６】
本発明の青色インク以外の顔料入りインクは、単一の顔料種、または２つ以上の顔料種の混合物を含んでもよい。所与のインク中の「顔料含量」は、単一の顔料種であろうと２つ以上の顔料種の組合せであろうと、当該インク中に存在する全顔料に関する。
【００２７】
顔料は、従来、ポリマー分散剤または界面活性剤などの分散剤によってビヒクル中の分散系に安定化される。しかしながらより最近になって、いわゆる「自己分散できる」または「自己分散する」顔料（本明細書では以下「ＳＤＰ」）が開発された。その名称が暗示するように、ＳＤＰは分散剤なしに水、または水性ビヒクルに分散できる。このように、顔料は、自己分散するための表面処理によって（例えば、その開示がまるで完全に記載されているかのようにあらゆる目的のために本明細書に参照により援用される、国際公開第０１／９４４７６号パンフレットを参照されたい）、従来のやり方で分散剤での処理によって、または表面処理と分散剤とのある組合せによって分散系に安定化されてもよい。
【００２８】
好ましくは、分散剤が用いられる時、分散剤はランダムまたは構造化ポリマー分散剤である。好ましいランダムポリマーには、アクリルポリマーおよびスチレン−アクリルポリマーが含まれる。ＡＢ、ＢＡＢおよびＡＢＣブロックコポリマー、分岐ポリマーおよびグラフトポリマーを含む構造化分散剤が最も好ましい。幾つかの有用な構造化ポリマーは米国特許第５，０８５，６９８号明細書、ＥＰ−Ａ−０５５６６４９号明細書および米国特許第５，２３１，１３１号明細書（それらの開示はまるで完全に記載されているかのようにあらゆる目的のために本明細書に参照により援用される）に開示されている。
【００２９】
有用な顔料粒度は典型的には約０．００５ミクロン〜約１５ミクロンの範囲にある。好ましくは、顔料粒度は約０．００５ミクロン〜約５ミクロン、より好ましくは約０．００５ミクロン〜約１ミクロン、最も好ましくは約０．００５ミクロン〜約０．３ミクロンの範囲であるべきである。
【００３０】
ビヒクル
ビヒクルは任意の好適なビヒクルであることができるが、好ましくは水または水と少なくとも１つの水溶性有機溶剤（共溶剤）との混合物を意味する「水性ビヒクル」である。好適な混合物の選択は、所望の表面張力および粘度、選択された着色剤、インクの乾燥時間、ならびにインクが印刷される基材のタイプなどの、具体的用途の要件に依存する。選択されてもよい水溶性有機溶剤の代表的な例は、米国特許第５，０８５，６９８号明細書（その開示はまるで完全に記載されているかのようにあらゆる目的のために本明細書に参照により援用される）に開示されている。
【００３１】
水と水溶性溶剤との混合物が使用される場合、水性ビヒクルは典型的には約３０％〜約９５％の水を含有し、残り（すなわち、約７０％〜約５％）は水溶性溶剤である。好ましい組成物は、水性ビヒクルの総重量を基準にして約６０％〜約９５％の水を含有する。
【００３２】
水性ビヒクルをベースにするインクは、界面活性剤またはグリコールエーテルおよび１，２−アルカンジオールなどの浸透剤を含めることによって速浸透性（速乾性）であるようにすることができる。グリコールエーテルには、エチレングリコールモノブチルエーテル、ジエチレングリコールモノ−ｎ−プロピルエーテル、エチレングリコールモノ−イソプロピルエーテル、ジエチレングリコールモノ−イソプロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソプロピルエーテル、プロピレングリコールモノ−ｎ−ブチルエーテル、ジプロピレングリコールモノ−ｎ−ブチルエーテル、ジプロピレングリコールモノ−ｎ−プロピルエーテル、およびジプロピレングリコールモノ−イソプロピルエーテルが含まれる。１，２−アルカンジオールは好ましくは１，２−Ｃ4〜6アルカンジオール、最も好ましくは１，２−ヘキサンジオールである。好適な界面活性剤には、エトキシル化アセチレンジオール（例えばＡｉｒ  Ｐｒｏｄｕｃｔｓ製のＳｕｒｆｙｎｏｌｓ（登録商標）シリーズ）、エトキシル化第一アルコール（例えばＳｈｅｌｌ製のＮｅｏｄｏｌ（登録商標）シリーズ）およびエトキシル化第二アルコール（例えばＵｎｉｏｎ  Ｃａｒｂｉｄｅ製のＴｅｒｇｉｔｏｌ（登録商標）シリーズ）、スルホスクシネート（例えばＣｙｔｅｃ製のＡｅｏｒｓｏｌ（登録商標）シリーズ）、オルガノシリコーン（例えばＷｉｔｃｏ製のＳｉｌｗｅｔ（登録商標）シリーズ）ならびにフルオロ界面活性剤（例えばＤｕＰｏｎｔ製のＺｏｎｙｌ（登録商標）シリーズ）が含まれる。
【００３３】
加えられるグリコールエーテルおよび１，２−アルカンジオールの量は、適切に決定されなければならないが、インクの総重量を基準にして、典型的には約１〜約１５重量％、より典型的には約２〜約１０重量％の範囲にある。界面活性剤は、インクの総重量を基準にして、典型的には約０．０１〜約５重量％、好ましくは約０．２〜約２％の量で使用されてもよい。
【００３４】
「非水性ビヒクル」は、その溶剤が極性および／または非極性であり得る、非水性溶剤またはかかる溶剤の混合物から実質的になるビヒクルを意味する。極性溶剤の例には、アルコール、エステル、ケトンおよびエーテル、特に、モノ−、ジ−およびトリ−プロピレングリコールのモノメチルエーテルならびにエチレン、ジエチレンおよびトリエチレングリコールのモノ−ｎ−ブチルエーテルなどのグリコールおよびポリグリコールのモノ−およびジ−アルキルエーテルが挙げられる。非極性溶剤の例には、少なくとも６個の炭素原子を有する脂肪族および芳香族炭化水素、ならびに精油所蒸留製品および副産物をはじめとするそれらの混合物が挙げられる。溶剤はまた、部分的に、または完全に、ＵＶ光の適用時に硬化する（ＵＶ硬化性）溶剤などの重合性溶剤を含んでいてもよい。
【００３５】
水が非水性ビヒクルに意図的に全く加えられない時でさえ、幾らかの付随的な水が調合物に持ち込まれるかもしれないが、一般にこれは約２〜４％以下であろう。定義によれば、本発明の非水性インクは、非水性ビヒクルの総重量を基準にして約１０重量％以下、好ましくは約５重量％以下の水を有するであろう。
【００３６】
他の成分
他の成分は、かかる他の成分がインクの安定性およびジェット可能性を妨げない程度までインクジェットインク中へ調合されてもよく、それは通常の実験で容易に決定されるかもしれない。かかる他の成分は一般的な意味で当該技術ではよく知られている。
【００３７】
ポリマーが耐久性を向上させるためにインクに添加されてもよい。該ポリマーはビヒクルに可溶であるまたは分散させることができ（例えば「エマルジョンポリマー」または「ラテックス」）、イオン性または非イオン性であることができる。有用なクラスのポリマーには、アクリル、スチレン−アクリルおよびポリウレタンが含まれる。
【００３８】
殺生物剤が微生物の増殖を抑えるために使用されてもよい。
【００３９】
エチレンジアミン四酢酸（ＥＤＴＡ）、イミノ二酢酸（ＩＤＡ）、エチレンジアミン−ジ（ｏ−ヒドロキシフェニル酢酸）（ＥＤＤＨＡ）、ニトリロ三酢酸（ＮＴＡ）、ジヒドロキシエチルグリシン（ＤＨＥＧ）、トランス−１，２−シクロヘキサンジアミン四酢酸（ＣｙＤＴＡ）、ジエチレントリアミン−Ｎ，Ｎ，Ｎ’，Ｎ”，Ｎ”−五酢酸（ＤＴＰＡ）、およびグリコールエーテルジアミン−Ｎ，Ｎ，Ｎ’，Ｎ’−四酢酸（ＧＥＤＴＡ）、ならびにそれらの塩などの金属イオン封鎖（キレート）剤の包含は、例えば、重金属不純物の悪影響をなくすために有利であるかもしれない。
【００４０】
成分の割合
上に概略記載されたような、および当業者によって一般に認められるような、所望のインク特性を達成するために上記の成分を組み合わせて様々な割合および組合せのインクを製造することができる。幾つかの実験が特定の最終用途向けのインクを最適化するために必要であるかもしれないが、かかる最適化は一般に当業者の技術の範囲内である。
【００４１】
例えば、インク中のビヒクルの量は、水性であろうと非水性であろうと、典型的には、インクの総重量を基準にして、約７０重量％〜約９９．８重量％、好ましくは約８０重量％〜約９９．８重量％の範囲内にある。
【００４２】
着色インクでは、着色剤は一般に、全インクの、約１２重量％以下の量で、より典型的には約１重量％〜約９重量％の範囲で存在するであろう。分散剤は、不溶性着色剤の安定化のために必要とされる場合、着色剤の量を基準にしたレベルで用いられ、通常重量比で表される。一般に、分散剤は約１：３〜約４：１の範囲の顔料対分散剤重量比で用いられる。
【００４３】
他の成分（添加剤）は、存在する場合、インクの総重量を基準にして一般に約１５重量％未満を占める。界面活性剤は、添加される場合、一般にインクの総重量を基準にして約０．２〜約３重量％の範囲にある。ポリマー定着剤以外のポリマーは、必要に応じて添加することができるが、インクの総重量を基準にして一般に約１５重量％未満であろう。
【００４４】
インク特性
落下速度、小滴の分離長さ、滴径および流れ安定性は、インクの表面張力および粘度によって大きく影響される。インクジェットインクは典型的には２５℃で約２０ダイン／ｃｍ〜約７０ダイン／ｃｍの範囲の表面張力を有する。粘度は２５℃で３０ｃＰほどに高い（３０ｃＰ以下である）ことができるが、典型的には幾分より低い。インクは、噴出条件およびプリントヘッドデザインに合わせられている物理的特性を有する。インクは、インクジェット装置で有意な程度まで詰まらないように長期にわたって優れた貯蔵安定性を有するべきである。さらに、インクは、それが接触するインクジェット印刷装置の部品を腐食すべきでなく、かつ、それは本質的に無臭で、無毒であるべきである。
【００４５】
任意の特定の粘度範囲またはプリントヘッドに限定されないが、本発明で考慮される塗布はより低い粘度のインクを一般に必要とするであろう。従って、インクの粘度（２５℃での）は約７ｃｐｓ未満、約５ｃｐｓ未満、そして約３．５ｃｐｓ未満であることができる。
【００４６】
インクセット
用語「インクセット」は、ジェットするためにインクジェットプリンターに装着される流体すべてを意味する。これらの流体には、上に言及される着色インクが含まれる。例えば、印刷された画像の耐摩耗性および／また光沢を高めるために着色インクのすべての後に塗布されるであろう耐久性または光沢強化成分を含有する追加の無色インク（「トップコート」）などの他のインク（または流体）もまた存在することができよう。別のタイプのかかる流体は、それらの開示がまるで完全に記載されているかのようにあらゆる目的のために本明細書に参照により援用される、米国仮特許出願第６０／５３３０６８号明細書（２００３年１２月２９日出願）の優先権を主張する、本願と所有権者を同じくする米国特許出願第１１／０１３１２８号明細書（２００４年１２月１５日出願）に開示されているような、（好ましくは無色の）定着剤流体である。
【００４７】
上に示されたように、本発明の青色インクは、複数の着色インクを含むインクセットの一部として典型的に使用されるであろう。通常、インクセットは一次色、ＣＹＭのインクを含むであろうし、本発明の青色インクはそれ故拡大された色セットを提供するであろう。インクセットのシアンインクに使用されているものと同じシアン顔料を本発明の混合顔料青色インクに使用することが有利である。
【００４８】
青色に加えて、インクセットは他の色、特に二次色赤（Ｒ）および緑（Ｇ）で有利にも拡大することができる。このように、好ましいインクセットは、青色インクが本明細書に規定される本発明の青色インクであるＣＹＭＲＧＢを含むことができる。
【００４９】
一次および二次色の６色インクセット、ＣＹＭＲＧＢは、
ＰＢ１５：３および／またはＰＢ１５：４の１つまたは任意の組合せから選択された着色剤入りシアンインク、
ＰＲ１２２入りマゼンタインク、
ＰＹ７４、９５、１１０、１２８および１５５の１つまたは任意の組合せから選択された着色剤入り黄色インク、
ＰＯ３４、ＰＲ１４９、ＰＲ１７７、ＰＲ１７８およびＰＲ２６４の１つまたは任意の組合せから選択された着色剤入り赤色インク、
ＰＧ３６入り緑色インク、ならびに
本発明による青色インク
を含むことができる。
【００５０】
６色セット中のＲおよびＧインクの任意のものまたはすべてが、本明細書で前述したようなＣＹＭ顔料の混合物である着色剤を含むことができる。
【００５１】
赤色インクは、少なくとも１つのマゼンタ顔料、好ましくはＰＲ１２２と、ＰＹ７４、ＰＹ９５、ＰＹ１１０、ＰＹ１２８およびＰＹ１５５からなる群から好ましくは選択された少なくとも１つのイエロー顔料とを含む混合Ｍ／Ｙ着色剤を含むことができる。
【００５２】
緑色インクは、ＰＢ１５：３およびＰＢ１５：４からなる群から好ましくは選択された少なくとも１つのシアン顔料と、ＰＹ７４、ＰＹ９５、ＰＹ１１０、ＰＹ１２８およびＰＹ１５５からなる群から好ましくは選択された少なくとも１つのイエロー顔料とを含む混合Ｃ／Ｙ着色剤を含むことができる。
【００５３】
インクセットは、黒色インク、好ましくは顔料ベースの黒色インク、特にカーボンブラック顔料を含む黒色インクをさらに含むことができる。
【００５４】
インクセットのインクのそれぞれは個々に、ビヒクル、好ましくは水性ビヒクル、適切な着色剤および任意の添加剤を成分割合で含み、上記のような特性を有する。
【００５５】
プリンター
プリンターは、商業的に製造されそして広く入手可能であるものをはじめとする、任意の好適なインクジェットプリンターであることができる。かかるプリンターは当業者には周知である。
【００５６】
かかるプリンターは、例えば、所定の位置に固定されているプリントヘッド・アレイ（固定アレイ）を装備したものであることができる。
【００５７】
プリンターは、例えば、米国特許第６，４４３，５５５号明細書（その開示はまるで完全に記載されているかのようにあらゆる目的のために本明細書に参照により援用される）に記載されているものに類似であることができる。かかるプリンター用のプリントヘッドは、例えば、米国特許第６，４２６，０１４号明細書および米国特許出願公開第２００２／００３３８６３号明細書（それらの開示もまたまるで完全に記載されているかのようにあらゆる目的のために本明細書に参照により援用される）に記載されているものであることができる。インクジェットプリンターはデジタルデータ信号に応答する。
【００５８】
固定アレイプリンターは一般に、少なくとも約６００ｄｐｉ、好ましくは少なくとも約１２００ｄｐｉ、より好ましくは少なくとも約１６００ｄｐｉを印刷することができるであろう。印刷は好ましくはワンパスで行われ、こうしてプリントヘッドは、印刷ゾーンによって基材のワンパスで規定ｄｐｉを達成するように配置構成される。
【００５９】
印刷ゾーンの幅は、印刷をワンパスで迅速に行うことができるように、印刷されるべき区域の幅と同じくらい少なくとも幅広い。従って、この種のプリントヘッドはページ幅アレイまたは全幅アレイと一般に言われる。いわゆる「ＳＯＨＯ」（小さなオフィス、ホームオフィス）および「ネットワーク」印刷のために、印刷ゾーンの幅は少なくとも、例えばＡ４サイズ紙および／または手紙サイズ（８．５×１１インチ）紙などの標準紙のような幅である。いわゆる「幅広フォーマット」印刷のために、印刷ゾーンは好ましくは少なくとも約３６インチ幅であり、ロールから供給される媒体を受け入れることができる。
【００６０】
プリントヘッドから噴出されたインク小滴は任意の好適な体積のものであることができるが、好ましくは小滴は約１０ｐＬ未満であり、より好ましくは約１〜約５ｐＬ、さらにより好ましくは約１〜約２ｐＬの範囲にある。
【００６１】
基材
本発明での使用に好適な基材は、当業者に公知の任意の有用な基材であることができる。例えば、基材は、一般の電子写真複写紙などの普通紙であることができる。基材はまた、マイクロポーラスペ−パー、ポリマー被覆紙および該２つのハイブリッドなどの特殊メディアであることもできる。基材は塩化ビニルおよびポリエステルなどのポリマーフィルムであることができる。ポリマーフィルムは標識、掲示板およびバナーなどの幅広フォーマット用途で特に有用である。基材は、スパンボンドポリオレフィン（例えばＴｙｖｅｋ（登録商標）、ＤｕＰｏｎｔ  Ｃｏ．）などの不織布であることができる。基材はまた、絹、コットン、ナイロンおよびポリエステルなどの織布であることもできる。
【実施例】
【００６２】
構造化ポリマーを分散剤として用いた。分散剤Ａはメタクリル酸ベンジルとメタクリル酸とのブロックコポリマー（１３／／１０）であった。分散剤Ｂは、ＰＯＥＡがアクリル酸フェノキシエチルを意味し、ＥＴＥＧＭＡがエトキシトリエチレングリコールメタクリレートを意味する、ＰＯＥＡ−ｇ−ＥＴＥＧＭＡ／メタクリル酸（６６−ｇ−４／３０）のグラフトコポリマーであった。模範的な調製方法は、米国特許第６，７４２，８６９号明細書（その開示はまるで完全に記載されているかのようにあらゆる目的のために本明細書に参照により援用される）に「分散剤１」および「分散剤２」の見出しで記載されている。
【００６３】
分散系１
ＰＢ６０を、ＫＯＨで中和した分散剤Ａと共に（４．０の顔料／分散剤重量比）２ロールミルで粉砕した。生じたチップを水中へ落として１５重量％顔料の濃厚な分散系を製造した。
【００６４】
分散系２
ＰＶ２３を、ＫＯＨで中和した分散剤Ｂとの水性混合物として（１．５の顔料／分散剤重量比）メディアミルで粉砕した。生じたスラリーを水で希釈して１５重量％顔料の濃厚な分散系を製造した。
【００６５】
分散系３
ＰＢ１５：４を、ＫＯＨで中和した分散剤Ａと共に（１．５の顔料／分散剤重量比）２ロールミルで粉砕した。生じたチップを水中へ落として１５重量％顔料の濃厚な分散系を製造した。
【００６６】
分散系４
ＰＲ１２２を、ＫＯＨで中和した分散剤Ａと共に（１．５の顔料／分散剤重量比）２ロールミルで粉砕した。生じたチップを水中へ落として１５重量％顔料の濃厚な分散系を製造した。
【００６７】
インクの調製
インクを次の配合表に従って調製した。成分を一緒に混合し、濾過した。水は脱イオンした。Ｓｕｒｆｙｎｏｌ（登録商標）４６５はＡｉｒ  Ｐｒｏｄｕｃｔｓ  Ｃｏｒｐ（Ａｌｌｅｎｔｏｗｎ，ＰＡ，ＵＳＡ）製の界面活性剤である。Ｐｒｏｘｅｌ（登録商標）ＧＸＬはＡｖｅｃｉａ（Ｗｉｌｍｉｎｇｔｏｎ，ＤＥ，ＵＳＡ）製の殺生物剤である。割合は、特に明記しない限り、インクの総重量のパーセント重量である。
【００６８】
2008504400.tif 000006
上記表続き
2008504400.tif 000007
【００６９】
色測定
インクを、Ｃａｎｏｎ  ｉ５５０プリンターで印刷し（１００％被覆面積）、色をＧｒｅｙｔａｇ−Ｍａｃｂｅｔｈ  Ｓｐｅｃｔｒｏｌｉｎｏ分光計で、そして光沢（２０°および６０°）をＢｙｋ−Ｇａｒｄｎｅｒ  ｍｉｃｒｏ−Ｔｒｉ−ｇｌｏｓｓｍｅｔｅｒで測定することによって評価した。
【００７０】
実施例１
インクをＥｐｓｏｎ  Ｐｒｅｍｉｕｍ  Ｇｌｏｓｓｙ  Ｐｈｏｔｏ  Ｐａｐｅｒへ印刷し、光学密度、彩度、色相角および光沢を測定した。結果を次の表にまとめる。
【００７１】
2008504400.tif 000008
【００７２】
本発明の青色インク（インク１〜３）は、それが単一ブルー顔料入り比較インク（インクＡ、ＢおよびＣ）または混合したシアンおよびマゼンタ顔料入り比較インク（インクＦ）より良好な、彩度、光学密度および光沢の組合せを提供したという点で有利である。
【００７３】
また、有利なことに、本発明の混合顔料青色インクでの「ブロンジング（ｂｒｏｎｚｉｎｇ）」は個々の顔料のどちらについてより実質的に少ないことが分かった。ブロンジングは好ましくない特性と考えられ、好ましくはインクはブロンジングをほとんどまたは全く示さない。ＰＶ２３のみが入ったインクＤはかなりの量の黄色ブロンジング（ある角度で見た時に印刷表面からの黄色反射）を示した。ＰＢ１５：４入りインクＥはかなりの量のピンク／赤色ブロンジング（ある角度で見た時に印刷表面からの赤色反射）を示した。驚くべきことに、ＰＶ２３／ＰＢ１５：４混合物を含んでなる本発明のインク（インク１〜３）は、ＤおよびＥの両方より実質的に少ないブロンジングを示した。ＰＢ６０顔料入りの比較青色インクＡ〜Ｃはまた、比較シアンインクＥより低いレベルでではあるが、ピンク／赤色ブロンジングを示した。比較青色インクＣでのブロンジングのレベルは、本発明の青色インク３とほぼ同じものであった。
【００７４】
実施例２
本発明の青色インクおよび比較単一顔料青色インクの普通紙（Ｘｅｒｏｘ４０２４およびＨＰ  Ｂｒｉｇｈｔ  Ｗｈｉｔｅ）上での性能を次の表にまとめる。
【００７５】
2008504400.tif 000009
【００７６】
結果は、本発明の青色イングがまた、単一顔料インク（インクＡ〜Ｃ）に少なくとも匹敵する色で、普通（非光沢）紙上でも良好な性能を提供したことを示す。もちろん本発明の混合顔料ブルーで、顔料の比を調整して色相角を最も望まれる位置にシフトさせることができる。
【国際調査報告】
2008504400.tif 000010
2008504400.tif 000011